(57)【要約】【課題】処理ユニットへの操作や管理機能の操作に対する制限を与える。【解決手段】管理用非接触ＩＣカードの管理情報に応じてロック部による内扉錠のロックを解除する。一方、管理用非接触ＩＣカードを所持していなければ内扉錠のロックが維持される。これにより、管理用非接触ＩＣカードの有無によって内扉の開放状態もしくは閉塞状態が得られるので、処理ユニットである紙幣処理部および保管庫への操作に制限を与える。また、レベルＡの管理用非接触ＩＣカードと、レベルＢの管理用非接触ＩＣカードの管理情報に応じて設定部の設定キーで操作できる管理機能が異なる。このように、管理用非接触ＩＣカードによって設定部による管理機能の操作に対して制限を与える。【選択図】        図４
2005284363.tif 000002
【特許請求の範囲】
【請求項１】
入金情報を情報記録媒体に記録する情報記録媒体用入金機において、
前記入金情報の処理を行う処理ユニットと、
管理情報を有した管理情報記録媒体と
を備え、前記管理情報記録媒体に記録された管理情報に応じて前記処理ユニットへの操作を定めることを特徴とする情報記録媒体用入金機。
【請求項２】
前記処理ユニットを内装する筐体と、
前記筐体を開閉する扉体を閉塞状態で施錠する扉錠と、
前記扉錠を施錠状態でロックするロック部と
を備え、前記管理情報記録媒体に記録された管理情報に応じて前記ロック部による扉錠のロックを解除することを特徴とする請求項１に記載の情報記録媒体用入金機。
【請求項３】
前記扉体は、筐体の内部に投入された金銭の正偽および金額を認識する金銭処理部と、投入された正しい金銭を保管する保管庫とを閉塞することを特徴とする請求項２に記載の情報記録媒体用入金機。
【請求項４】
入金情報を情報記録媒体に記録する情報記録媒体用入金機において、
前記入金情報の処理に関わる管理機構の操作を行う設定部と、
管理情報を有した管理情報記録媒体と
を備え、前記管理情報記録媒体に記録された管理情報に応じて前記設定部による管理機能の操作を定めることを特徴とする情報記録媒体用入金機。
【請求項５】
前記管理情報記録媒体に記録された管理情報に当該管理情報記録媒体の使用期限を保有させたことを特徴とする請求項１〜４のいずれか一つに記載の情報記録媒体用入金機。
【発明の詳細な説明】
【技術分野】
【０００１】
本発明は、投入された金銭などの入金情報を、例えば非接触ＩＣカードなどの情報記録媒体に対して記録する情報記録媒体用入金機に関するものである。
【背景技術】
【０００２】
近年、電子マネーと称して、例えば非接触ＩＣカードなどの情報記録媒体に入金情報を記録しておき、当該情報記録媒体によって商品やサービスの決済を行うものが知られている。この種の情報記録媒体においては、記録した金額の残高がなくなるか少なくなると商品やサービスの決済ができなくなるため、金銭の入金情報を情報記録媒体に積み増して記録する入金機が必要になる。そこで、従来、非接触ＩＣカードに対して金額を積み増しする入金機が知られている（例えば、特許文献１または特許文献２参照）。
【０００３】
【特許文献１】特開２００１−９３００３号公報
【特許文献２】特開２００３−３６４６６号公報
【発明の開示】
【発明が解決しようとする課題】
【０００４】
ところで、上述した入金機では、金銭を機内に投入し、その入金情報を情報記録媒体に記録する。すなわち、金銭は機内に内装した保管庫に保管してある。また、上述した入金機では、機内に内装した処理ユニットの保守などの操作を要する。このような構成においては、入金機を管理する場合に、例えば金銭に関わらない操作と、金銭に関わる操作とを区分けして制限する要求がある。
【０００５】
また、上述した入金機では、例えば入金情報を情報記録媒体に記録するための各種設定事項の変更などの管理機能がある。この管理機能に関しても、入金機を管理する場合に、例えば一部の管理機能のみの操作と、全ての管理機能の操作とに区分けして制限する要求がある。
【０００６】
本発明は、上記実情に鑑みて、処理ユニットへの操作や管理機能の操作に対する制限を与えることを目的とする。
【課題を解決するための手段】
【０００７】
上記の目的を達成するために、本発明の請求項１に係る情報記録媒体用入金機は、入金情報を情報記録媒体に記録する情報記録媒体用入金機において、前記入金情報の処理を行う処理ユニットと、管理情報を有した管理情報記録媒体とを備え、前記管理情報記録媒体に記録された管理情報に応じて前記処理ユニットへの操作を定めることを特徴とする。
【０００８】
本発明の請求項２に係る情報記録媒体用入金機は、上記請求項１において、前記処理ユニットを内装する筐体と、前記筐体を開閉する扉体を閉塞状態で施錠する扉錠と、前記扉錠を施錠状態でロックするロック部とを備え、前記管理情報記録媒体に記録された管理情報に応じて前記ロック部による扉錠のロックを解除することを特徴とする。
【０００９】
本発明の請求項３に係る情報記録媒体用入金機は、上記請求項２において、前記扉体は、筐体の内部に投入された金銭の正偽および金額を認識する金銭処理部と、投入された正しい金銭を保管する保管庫とを閉塞することを特徴とする。
【００１０】
本発明の請求項４に係る情報記録媒体用入金機は、入金情報を情報記録媒体に記録する情報記録媒体用入金機において、前記入金情報の処理に関わる管理機構の操作を行う設定部と、管理情報を有した管理情報記録媒体とを備え、前記管理情報記録媒体に記録された管理情報に応じて前記設定部による管理機能の操作を定めることを特徴とする。
【００１１】
本発明の請求項５に係る情報記録媒体用入金機は、上記請求項１〜４のいずれか一つにおいて、前記管理情報記録媒体に記録された管理情報に当該管理情報記録媒体の使用期限を保有させたことを特徴とする。
【発明の効果】
【００１２】
本発明に係る情報記録媒体用入金機は、管理情報記録媒体に記録された管理情報に応じて処理ユニットへの操作を定める。これにより、管理情報記録媒体を用いて処理ユニットへの作業に対して制限を与えることができる。具体的には、管理情報記録媒体に記録された管理情報に応じてロック部による扉体を施錠する扉錠のロックを解除あるいは維持する。特に、扉体が、筐体の内部に投入された金銭の正偽および金額を認識する金銭処理部と、投入された正しい金銭を保管する保管庫とを閉塞することにより、金銭に関する防盗性を向上することができる。
【００１３】
本発明に係る情報記録媒体用入金機は、管理情報記録媒体に記録された管理情報に応じて設定部による管理機能の操作を定める。例えば、複数の管理情報記録媒体ごとに変更できる管理機能の操作を異ならせる。これにより、管理情報記録媒体を用いて管理機能の操作に制限を与えることができる。
【００１４】
また、管理情報記録媒体に記録された管理情報に当該管理情報記録媒体の使用期限を保有することで、管理情報記録媒体の安全性を向上することができる。
【発明を実施するための最良の形態】
【００１５】
以下に添付図面を参照して、本発明に係る情報記録媒体用入金機の好適な実施例を詳細に説明する。なお、この実施例によりこの発明が限定されるものではない。
【実施例】
【００１６】
図１は本発明に係る情報記録媒体用入金機の実施例における外観を示す斜視図、図２は図１に示した情報記録媒体用入金機のブロック図である。
【００１７】
本実施例における情報記録媒体用入金機は、非接触ＩＣカード１００を情報記録媒体として採用してある。非接触ＩＣカード１００は、図には明示しないが、ＩＣチップと、当該ＩＣチップに接続したコイル状アンテナとを基板に配置してなる。ＩＣチップは、記録部、送受信部および電源整流部が内蔵してある。記録部は、記録情報として例えば積み増しの際の金額情報およびその日時情報などの入金情報、あるいは商品やサービスの決済を行うための金額情報およびその日時情報などの出金情報などを記録する。送受信部は、後述する読み書き部１２と情報の送受信を行う。電源整流部は、読み書き部１２が送信した所定の電波によってコイル状アンテナの共振作用（電磁誘導など）で発生した起電力を、ＩＣチップの作動電力として得る。なお、情報記録媒体としては、上述した非接触ＩＣカード１００の他に、例えば上記構成を内蔵した携帯通信端末（例えば携帯電話機）として構成できる。
【００１８】
図１および図２に示すように情報記録媒体用入金機は、非接触ＩＣカード１００に対して金銭などの入金情報を記録するものである。この情報記録媒体用入金機は、筐体１の外部であって当該筐体１を開閉する扉体としての外扉２に表示部３、操作部４、紙幣投入口５、載置部６、およびレシート取出口７を設けてある。外扉２は、筐体１を閉止する閉塞状態で扉錠としての外扉錠２ａによって施錠される一方、当該外扉錠２ａの解錠によって開放状態になる。また、図には明示しないが、筐体１と外扉２との間には、外扉２の開放状態を検出する外扉センサを設けて当該外扉センサを制御部１６に接続してあってもよい。
【００１９】
表示部３は、制御部１６に接続してあって、通常時には載置部６に載置された非接触ＩＣカード１００に書き込まれている入金情報の残高、または紙幣投入口５から投入された紙幣の入金額が表示される。
【００２０】
操作部４は、制御部１６に接続してあって本実施例では押しボタンからなり、入金ボタン４ａ、取り消しボタン４ｂおよびレシートボタン４ｃを有している。入金ボタン４ａは、紙幣投入口５から投入された紙幣の入金額である入金情報を非接触ＩＣカード１００に書き込む際に押下するものである。取り消しボタン４ｂは、非接触ＩＣカード１００への入金情報の書き込みを取り消す際に押下するものである。レシートボタン４ｃは、レシートの出力の際に押下するものである。
【００２１】
紙幣投入口５は、紙幣を投入する部位であって、後述する紙幣処理部１１に通じてある。なお、紙幣投入口５は、金銭投入口として紙幣以外に硬貨を投入する形態であってもよい。
【００２２】
載置部６は、非接触ＩＣカード１００を載置する部位であって、その底側には、後述する読み書き部１２のアンテナ１２ａが配してある。また、載置部６は、非接触ＩＣカード１００以外に、ＩＣチップなどを内蔵した携帯通信端末も載置できる。
【００２３】
レシート取出口７は、レシートを払い出す部位であって、後述するプリンタ１３に通じてある。
【００２４】
筐体１の内部には、図２に示すように処理ユニットが内装してある。処理ユニットは、紙幣処理部１１（金銭処理部）、読み書き部１２、プリンタ１３、設定部１４、および電源部１５からなる。
【００２５】
紙幣処理部１１は、制御部１６に接続してあって、紙幣投入口５から投入された紙幣の正偽を判定し、当該紙幣が正紙幣であった場合にさらに投入金額の認識を行う。また、紙幣処理部１１は、投入金額の情報を制御部１６に送る。この紙幣処理部１１は、保管庫１１ａに通じてある。保管庫１１ａは、紙幣投入口５から投入された紙幣の入金額である入金情報を非接触ＩＣカード１００に書き込まれたときに、当該紙幣を収容して保管する。
【００２６】
これら、処理ユニットの一部である紙幣処理部１１および保管庫１１ａは、筐体１の内部にある内部領域としての金庫８の内部に収容してある。金庫８は、外扉２のさらに内側にある扉体としての内扉９によって開閉される。内扉９は、外扉２に重ねて設けてあって当該外扉２を開放することにより開閉できる態様で設けてある。この内扉９は、金庫８を閉止する閉塞状態で扉錠としての内扉錠９ａによって施錠される一方、当該内扉錠９ａの解錠によって開放状態になる。また、図には明示しないが、内扉錠９ａには、その解錠を検出する内扉錠センサが設けてあり、当該内扉錠センサを制御部１６に接続してある。なお、内扉錠センサに換えて、内扉９の開放状態を検出する内扉センサ（図示せず）を制御部１６に接続して設けてもよい。
【００２７】
また、内扉錠９ａには、ロック部１０が設けてある。ロック部１０は、内扉錠９ａが内扉９を施錠しているときに、当該内扉錠９ａの解錠を阻止する態様でロックする。このロック部１０は、例えば内扉錠９ａに対して可動部を進退可能に設けたソレノイドからなり、制御部１６に接続してある。ロック部１０は、ソレノイドへの非通電時に可動部が内扉錠９ａに向けて進出することによって当該内扉錠９ａを施錠状態でロックする一方、ソレノイドへの通電時に可動部が内扉錠９ａから退避することによって当該内扉錠９ａのロックを解除する。
【００２８】
読み書き部１２は、制御部１６に接続してあって、アンテナ１２ａを介して載置部６に載置された非接触ＩＣカード１００と情報の送受信を行う。すなわち、読み書き部１２は、アンテナ１２ａを介して所定の電波を発信し、非接触ＩＣカード１００のコイル状アンテナに起電力を生じさせてＩＣチップの作動電力とする。これにより、読み書き部１２は、例えば非接触ＩＣカード１００に記録されている残高を読み出す一方、積み増しの際の金額情報およびその日時情報などの入金情報を非接触ＩＣカード１００に書き込み記録する。また、読み書き部１２は、読み出した情報を制御部１６に送る一方、書き込むべき入金情報を制御部１６から得る。
【００２９】
また、書き込み部１２は、管理用非接触ＩＣカード１０１と情報の送受信を行う。読み書き部１２は、例えば管理用非接触ＩＣカード１０１に記録されている管理情報のレベルおよび使用期限を読み出す一方、後述する管理処理を行った日時情報および使用期限の更新情報などの新規の管理情報を管理用非接触ＩＣカード１０１に書き込み記録する。また、読み書き部１２は、読み出した管理情報を制御部１６に送る一方、書き込むべき新規の管理情報を制御部１６から得る。
【００３０】
ここで、管理用非接触ＩＣカード１０１は、情報記録媒体入金機を管理する管理者が所持するものであって、管理処理を行うための管理情報を予め記録してある。この管理用非接触ＩＣカード１０１は、管理処理における作業に応じて複数種類用意してある。本実施例では、管理用非接触ＩＣカード１０１Ａと、管理用非接触ＩＣカード１０１Ｂとの２種類が用意してある。
【００３１】
管理用非接触ＩＣカード１０１Ａは、レベルＡの管理情報が予め記録してある。レベルＡの管理情報とは、設定部１４による管理機能の操作を定めるための情報である。一方、管理用非接触ＩＣカード１０１Ｂは、レベルＢの管理情報が予め記録してある。レベルＢの管理情報とは、設定部１４による管理機能の操作を定めるための情報である。また、レベルＡおよびレベルＢの管理情報には、ロック部１０による内扉錠９ａのロックを解除するための情報が予め記録してある。さらに、レベルＡおよびレベルＢの管理情報には、管理用非接触ＩＣカード１０１Ａおよび管理用非接触ＩＣカード１０１Ｂの使用期限の情報が予め記録してある。使用期限は、管理用非接触ＩＣカード１０１Ａ，１０１Ｂが使用可能期限日、あるいは管理用非接触ＩＣカード１０１Ａ，１０１Ｂの使用可能回数がある。
【００３２】
プリンタ１３は、制御部１６に接続してあって、例えば、非接触ＩＣカード１００に書き込み記録された情報を制御部１６から入力し、当該情報をプリント出力したレシート（領収書）をレシート取出口７から払い出す。なお、図には明示しないが、プリンタ１３は、ロール状のレシート用紙と、プリントされたレシート用紙を切断するカッタとを有している。
【００３３】
設定部１４は、制御部１６に接続してあって、本情報記録媒体入金機に関わる管理機能の操作が行われる。図には明示しないが、設定部１４は、管理機能の操作を実行するための設定キーを有している。設定部１４による管理機能の操作は、例えばレシートの再プリント、定期情報のプリント、金銭の統計処理、統計データのプリント、センターサーバ１８との通信情報のプリント、日時設定、入金機の機能設定、設定の初期化などがある。
【００３４】
電源部１５は、表示部３、操作部４、紙幣処理部１１、読み書き部１２、プリンタ１３、設定部１４、および制御部１６に対して電力を供給する。図には明示しないが、電源部１５は、供給する電力をＯＮ／ＯＦＦする電源スイッチを有している。
【００３５】
制御部１６は、予めメモリ１６ａに格納したプログラムやデータに従って、表示部３、紙幣処理部１１、読み書き部１２、およびプリンタ１３の制御を行うためのものである。また、制御部１６には、ルータ１７ａが接続してあり、本情報記録媒体入金機を管理するセンターサーバ１８側に接続してあるルータ１７ｂを介して当該センターサーバ１８と通信を行う。センターサーバ１８との通信としては、例えば保管庫１１ａから投入紙幣を回収するときに保管庫１１ａに収容してある保管金額の統計（締め）を行った統計処理の送信などがある。
【００３６】
図３は制御部が実行する入金処理を示すフローチャートである。以下、図２および図３を適宜参照しながら、情報記録媒体入金機の制御部１６が実行する入金処理について説明する。なお、本実施例における情報記録媒体入金機の制御部１６は、単一の紙幣（例えば日本円で１０００円札、２０００円札、５０００円札、１００００円札）一枚のみを受け入れて、その入金情報を非接触ＩＣカード１００に記録する入金処理を実行するものである。
【００３７】
まず、電源部１５の電源スイッチがＯＮされて、内扉９および外扉２が閉鎖状態にあり、かつ、載置部６に非接触ＩＣカード１００が載置されていない場合、制御部１６は、待機状態となっている。この待機状態において、制御部１６は、読み書き部１２を制御してアンテナ１２ａを介して所定の電波を発信するとともに、非接触ＩＣカード１００が取扱中である旨を表示部３に表示する。
【００３８】
上述した待機状態から、制御部１６は、利用者などによって載置部６に非接触ＩＣカード１００が載置されたかを判断する（ステップＳ１）。載置部６に非接触ＩＣカード１００が載置されると（ステップＳ１：Ｙｅｓ）、制御部１６は、非接触ＩＣカード１００に記録された情報を読み書き部１２から得ることにより、当該非接触ＩＣカード１００が正規ものかを判断する（ステップＳ２）。非接触ＩＣカード１００が正規ものである場合（ステップＳ２：Ｙｅｓ）、制御部１６は、非接触ＩＣカード１００に記録された残高を読み書き部１２から得て、当該残高を表示部３に表示する（ステップＳ３）。
【００３９】
次いで、紙幣投入口５から紙幣が投入されると（ステップＳ４：Ｙｅｓ）、制御部１６は、投入金額を紙幣処理部１１から得て、当該投入金額を表示部３に表示する（ステップＳ５）。
【００４０】
次いで、操作部４の取り消しボタン４ｂが押下されることなく（ステップＳ６：Ｎｏ）、操作部４の入金ボタン４ａが押下されると（ステップＳ７：Ｙｅｓ）、制御部１６は、非接触ＩＣカード１００に対して入金情報を記録する（ステップＳ８）。
【００４１】
最後に、操作部４のレシートボタン４ｃが押下されると（ステップＳ９：Ｙｅｓ）、制御部１６は、プリンタ１３を制御することによってレシートをプリント出力して当該レシートをレシート取出口７から払い出し（ステップＳ１０）、本入金処理を終了する。
【００４２】
上記入金処理において、載置部６に載置された非接触ＩＣカード１００が正規のものでない場合（ステップＳ２：Ｎｏ）、制御部１６は、当該非接触ＩＣカード１００が管理用非接触ＩＣカード（管理情報記録媒体）１０１であるかを判断する（ステップＳ１３）。そして、管理用非接触ＩＣカード１０１ではない場合（ステップＳ１３：Ｎｏ）、制御部１６は、表示部３に取扱不可のエラーメッセージを表示して（ステップＳ１１）、本入金処理を終了する。また、上記入金処理において、操作部４の取り消しボタン４ｂが押下された場合（ステップＳ６：Ｙｅｓ）、制御部１６は、紙幣処理部１１を制御して投入された紙幣を紙幣投入口から返却して（ステップＳ１２）、本入金処理を終了する。また、上記入金処理において、操作部４のレシートボタン４ｃが押下されなかったとき（ステップＳ９：Ｎｏ）、具体的には、例えば載置部６から非接触ＩＣカード１００が取り除かれたとき、制御部１６は、本入金処理を終了する。
【００４３】
なお、図には明示しないが、上記入金処理において、紙幣投入口５から紙幣が投入されたとき（ステップＳ５）、当該紙幣が偽紙幣であった場合、あるいは当該紙幣の正偽が判断できなかった場合に、制御部１６は、紙幣処理部１１を制御して投入された紙幣を紙幣投入口から返却して、本入金処理を終了する。また、図には明示しないが、上記入金処理において、非接触ＩＣカード１００に対して入金情報が記録されなかったとき、具体的には、例えば「ステップＳ８」以前に載置部６から非接触ＩＣカード１００が取り除かれたとき、あるいは「ステップＳ８」において記録エラーとなったとき、制御部１６は、表示部３にエラーメッセージを表示するとともに、紙幣処理部１１を制御して投入された紙幣を紙幣投入口から返却して、本入金処理を終了する。
【００４４】
図４は制御部が実行する管理処理を示すフローチャートである。以下、図２、図３および図４を適宜参照しながら、情報記録媒体入金機の制御部１６が実行する管理処理について説明する。なお、本実施例において管理処理とは、例えばプリンタ１３の保守、電源部１５の電源スイッチのＯＮ／ＯＦＦ、紙幣処理部１１の紙幣詰まりなどの対処、保管庫１１ａからの投入紙幣の回収、設定部による管理機能の変更などの操作を称す。
【００４５】
まず、上述した入金処理において、図３に示すように、「ステップＳ１３」で載置部６に載置された非接触ＩＣカード１００が、管理者が所持する管理用非接触ＩＣカード（管理情報記録媒体）１０１である場合（ステップＳ１３：Ｙｅｓ）、管理処理に移行して（ステップＳ１４）、入金処理を終了する。
【００４６】
図４に示すように、管理処理において、制御部１６は、載置部６に載置された管理用非接触ＩＣカード１０１の使用期限が有効であるかを判断する（ステップＳ２１）。管理用非接触ＩＣカード１０１の使用期限が有効である場合（ステップＳ２１：Ｙｅｓ）、制御部１６は、当該管理用非接触ＩＣカード１０１がレベルＡかを判断する（ステップＳ２２）。
【００４７】
次いで、管理用非接触ＩＣカード１０１がレベルＡの管理用非接触ＩＣカード１０１Ａである場合（ステップＳ２２：Ｙｅｓ）、制御部１６は、設定部１４による管理機能の操作を定める（ステップＳ２３）。すなわち、制御部１６は、管理用非接触ＩＣカード１０１Ａに予め記録されたレベルＡの管理情報に応じて設定部１４の設定キーの操作によって変更できる管理機構の操作を定める。レベルＡの管理情報に応じて操作できる管理機能の操作は、例えばレシートの再プリント、定期情報のプリント、金銭の統計処理、統計データのプリントなどがある。なお、レシートの再プリント、定期情報のプリントなどは、管理用非接触ＩＣカード１０１Ａなしで操作可能であってもよい。
【００４８】
次いで、制御部１６は、ロック部１０を解除する（ステップＳ２４）。すなわち、制御部１６は、ロック部１０のソレノイドへ通電して可動部を内扉錠９ａから退避させて当該内扉錠９ａのロックを解除する。これにより、内扉錠９ａを解錠することが可能になる。
【００４９】
最後に、制御部１６は、管理処理を行った日時を含む新規管理情報を管理用非接触ＩＣカード１０１Ａに記録し（ステップＳ２５）。本管理処理を終了する。このとき、管理用非接触ＩＣカード１０１Ａの使用期限が使用可能回数である場合、制御部１６は、「ステップＳ２１」で管理用非接触ＩＣカード１０１Ａから読み出した使用可能回数から１回分を減算した使用可能回数を含む新規管理情報を当該管理用非接触ＩＣカード１０１Ａに書き込む。そして、管理者は、所持した鍵で外扉錠２ａを解錠し外扉２を開放してレベルＡの管理情報に応じて定めた上記管理機能の操作を行う。あるいは、管理者は、所持した鍵で内扉錠９ａを解錠し内扉９を開放して紙幣処理部１１および保管庫１１ａを表出し、紙幣処理部１１における紙幣詰まりの対処など操作や、保管庫１１ａからの投入紙幣の回収などの操作を行う。なお、管理用非接触ＩＣカード１０１Ａなしで外扉２を開放してプリンタ１３および電源部１５を表出し、プリンタ１３におけるレシート用紙の交換やレシート用紙の用紙詰まりの対処などの保守操作、または電源部１５の電源スイッチのＯＮ／ＯＦＦ操作が行える。
【００５０】
上記入金処理において、管理用非接触ＩＣカード１０１がレベルＡの管理用非接触ＩＣカード１０１Ａでない場合（ステップＳ２２：Ｎｏ）、本実施例における制御部１６は、管理用非接触ＩＣカード１０１がレベルＡの管理用非接触ＩＣカード１０１Ａ以外であるレベルＢの管理用非接触ＩＣカード１０１Ｂと判断する。なお、図には明示しないが、レベルＡおよびレベルＢ以外にも他の管理用非接触ＩＣカード１０１がある場合には、「ステップＳ２２：Ｎｏ」で、制御部１６は、管理用非接触ＩＣカード１０１がレベルＢかを判断して、「Ｎｏ」であれば他の管理用非接触ＩＣカード１０１のレベルであるかを判断する。
【００５１】
次いで、管理用非接触ＩＣカード１０１がレベルＢの管理用非接触ＩＣカード１０１Ｂである場合、制御部１６は、設定部１４による管理機能の操作を定める（ステップＳ２６）。すなわち、制御部１６は、管理用非接触ＩＣカード１０１Ｂに予め記録されたレベルＢの管理情報に応じて設定部１４の設定キーの操作によって変更できる管理機構の操作を定める。レベルＢの管理情報に応じて操作できる管理機能の操作は、上述したレベルＡの管理情報に応じて決める管理機能の操作に加えて、例えばセンターサーバ１８との通信情報のプリント、日時設定、入金機の機能設定、設定の初期化などがある。なお、レシートの再プリント、定期情報のプリントなどは、管理用非接触ＩＣカード１０１Ｂなしで操作可能であってもよい。
【００５２】
次いで、制御部１６は、ロック部１０を解除する（ステップＳ２７）。すなわち、制御部１６は、ロック部１０のソレノイドへ通電して可動部を内扉錠９ａから退避させて当該内扉錠９ａのロックを解除する。これにより、内扉錠９ａを解錠することが可能になる。
【００５３】
最後に、制御部１６は、管理処理を行った日時を含む新規管理情報を管理用非接触ＩＣカード１０１Ｂに記録し（ステップＳ２８）。本管理処理を終了する。このとき、管理用非接触ＩＣカード１０１Ｂの使用期限が使用可能回数である場合、制御部１６は、「ステップＳ２１」で管理用非接触ＩＣカード１０１Ｂから読み出した使用可能回数から１回分を減算した使用可能回数を含む新規管理情報を当該管理用非接触ＩＣカード１０１Ｂに書き込む。そして、管理者は、所持した鍵で外扉錠２ａを解錠し外扉２を開放してレベルＢの管理情報に応じて定めた上記管理機能の操作を行う。あるいは、管理者は、所持した鍵で内扉錠９ａを解錠し内扉９を開放して紙幣処理部１１および保管庫１１ａを表出し、紙幣処理部１１における紙幣詰まりの対処など操作や、保管庫１１ａからの投入紙幣の回収などの操作を行う。なお、管理用非接触ＩＣカード１０１Ｂなしで外扉２を開放してプリンタ１３および電源部１５を表出し、プリンタ１３におけるレシート用紙の交換やレシート用紙の用紙詰まりの対処などの保守操作、または電源部１５の電源スイッチのＯＮ／ＯＦＦ操作が行える。
【００５４】
また、上記入金処理において、載置部６に載置された管理用非接触ＩＣカード１０１の使用期限が無効である場合（ステップＳ２１：Ｎｏ）、制御部１６は、表示部３に取扱不可のエラーメッセージを表示して（ステップＳ２９）、本入金処理を終了する。
【００５５】
したがって、上述した情報記録媒体用入金機では、管理用非接触ＩＣカード１０１に記録された管理情報に応じて処理ユニットへの操作に制限を与える。具体的には、管理者がレベルＡおよびレベルＢの管理用非接触ＩＣカード１０１Ａ，１０１Ｂを所持している場合に、管理用非接触ＩＣカード１０１Ａ，１０１Ｂの管理情報に応じてロック部１０による内扉錠９ａのロックを解除する。これにより、内扉９を開放できるようにして、紙幣処理部１１の保守および保管庫１１ａからの投入紙幣の回収などの操作を可能にする。一方、管理者が管理用非接触ＩＣカード１０１を所持していない場合には、内扉錠９ａのロックが維持されることになる。これにより、内扉９が開放できなくなって、内扉９内にある紙幣に触れられない。この結果、防盗性を向上することが可能になる。このように、上述した情報記録媒体用入金機では、管理用非接触ＩＣカード１０１の管理情報に応じて内扉９の開放状態もしくは閉塞状態が得られるので、処理ユニットへの操作に対して制限を与えることが可能になる。
【００５６】
なお、本実施例のようにロック部１０をソレノイドで構成した場合には、ソレノイドへの非通電時に可動部が内扉錠９ａに向けて進出して当該内扉錠９ａを施錠状態でロックするので、本情報記録媒体入金機に電源の供給が絶たれたときに、内扉錠９ａおよびロック部１０によって内扉９を容易に開放することを阻止することが可能である。
【００５７】
また、上述した情報記録媒体用入金機では、管理用非接触ＩＣカード１０１に記録された管理情報に応じて設定部１４による管理機能の操作を定める。具体的には、管理者がレベルＡの管理用非接触ＩＣカード１０１Ａを所持している場合と、レベルＢの管理用非接触ＩＣカード１０１Ｂのみを所持している場合とで、操作できる管理機能が異なる。このように、上述した情報記録媒体用入金機では、管理用非接触ＩＣカード１０１によって設定部１４による管理機能の操作に対して制限を与えることが可能になる。
【００５８】
また、上述した情報記録媒体用入金機では、管理用非接触ＩＣカード１０１に記録された管理情報に当該管理用非接触ＩＣカード１０１の使用期限を保有してある。これにより、使用期限が無効である場合に管理用非接触ＩＣカード１０１の取り扱いを拒否することで、管理用非接触ＩＣカード１０１の安全性を向上することが可能になる。
【産業上の利用可能性】
【００５９】
以上のように、本発明に係る記録媒体用入金機は、機内に投入された金銭などの入金情報を、非接触ＩＣカードなどの情報記録媒体に対して記録する場合に有用であり、特に、処理ユニットへの操作やや管理機能の操作に対する制限を与えることに適している。
【図面の簡単な説明】
【００６０】
【図１】本発明に係る情報記録媒体用入金機の実施例における外観を示す斜視図である。
【図２】図１に示した情報記録媒体用入金機のブロック図である。
【図３】制御部が実行する入金処理を示すフローチャートである。
【図４】制御部が実行する管理処理を示すフローチャートである。
【符号の説明】
【００６１】
１    筐体
２    外扉
２ａ    外扉錠
２    内扉
３    表示部
４    操作部
４ａ    入金ボタン
４ｂ    取り消しボタン
４ｃ    レシートボタン
５    紙幣投入口
６    載置部
７    レシート取出口
８    金庫
９    内扉
９ａ    内扉錠
１０    ロック部
１１    紙幣処理部
１１ａ    保管庫
１２    読み書き部
１２ａ    アンテナ
１３    プリンタ
１４    設定部
１５    電源部
１６    制御部
１６ａ    メモリ
１７ａ，１７ｂ    ルータ
１８    センターサーバ
１００    非接触ＩＣカード（情報記録媒体）
１０１    管理用非接触ＩＣカード（管理情報記録媒体）
【図１】
2005284363.tif 000003
【図２】
2005284363.tif 000004
【図３】
2005284363.tif 000005
【図４】
2005284363.tif 000006